(57)【要約】【課題】実用性に優れたスライドレール自動収納装置を提供する。【解決手段】固定レール１と可動レール２を組み合わせたスライドレールにおいて、固定台３を固定レール１に連結し、固定台３の上面３１と底面３３とに開口溝３４を設け、側面３２にスライド溝３５を設ける。スライド溝３５の両端はそれぞれ湾曲して延びるリターンエリア３５１とストップエリア３５２である。ガイド棒４は、開口溝３４を貫いて設けられる。スライド体５には、ガイド棒４を嵌合する。凸柱５２は、スライド溝３５に対応して摺動するように設ける。弾性部品６は、一端が固定端であり、他端がスライド体５に連結する。引張りユニット７は、可動レール２に設けられ、開放口７１、第一ガイド部７２、第二ガイド部７５、第一係止部７３、及び第二係止部７４を含む。この構成により、スライド体５が引張りユニット７に連動し、可動レール２は、自動的に固定レール１に収納される。【選択図】図１
0003140208.tif 000002
【実用新案登録請求の範囲】
【請求項１】
スライドレールと、固定台と、ガイド棒と、スライド体と、弾性部品と、引張りユニットとを備え、
前記スライドレールは、固定レールと可動レールを含み、前記可動レールは前記固定レール内に嵌まって摺動し、
前記固定台は、前記固定レールに連結し、前記固定台は上面と側面と底面とを有し、前記上面及び前記底面には貫通するよう向かい合った開口溝を設け、前記側面にはスライド溝を設け、前記スライド溝の両端にはそれぞれ湾曲して延びるリターンエリアとストップエリアとを設け、
前記ガイド棒は、前記開口溝を貫いて設けられ、
前記スライド体は、前記ガイド棒を嵌合し連動させ、前記スライド体には、前記スライド溝に対応する凸柱を設け、
前記弾性部品は、両端に第一端と第二端とを備え、前記第一端は固定端であり、前記第二端は前記スライド体に連結し、
前記引張りユニットは、前記可動レールの後端に設け、前記引張りユニットには、開放口、第一ガイド部、第一係止部、第二係止部、及び第二ガイド部を順に並べて設け、
前記スライド体が前記引張りユニットに対して連動作用を起こし、さらに前記可動レールは前記固定レールに自動で収納されることを特徴とするスライドレール自動収納装置。
【請求項２】
前記固定台には、固定足及び取り付け孔を設け、前記固定レールには前記固定足及び前記取り付け孔に対してそれぞれ前記固定片及び前記固定孔を設け、前記取り付け孔と前記固定孔に対応する一つの固定部品を含むことを特徴とする請求項１記載のスライドレール自動収納装置。
【請求項３】
前記固定レールには、前記固定台の幅に対応して間隔を空けた制御体を設けることを特徴とする請求項１記載のスライドレール自動収納装置。
【請求項４】
前記固定台には固定台フックを設け、前記弾性部品の前記第一端に連結することを特徴とする請求項１記載のスライドレール自動収納装置。
【請求項５】
前記固定レールには固定レールフックを設け、前記弾性部品の前記第一端に連結することを特徴とする請求項１記載のスライドレール自動収納装置。
【請求項６】
前記スライド体は前記弾性部品の前記第二端に対応する連結柱を設けることを特徴とする請求項１記載のスライドレール自動収納装置。
【請求項７】
前記引張りユニットの前記第一ガイド部は傾斜辺であり、前記第二ガイド部は弧形辺であることを特徴とする請求項１記載のスライドレール自動収納装置。
【請求項８】
前記引張りユニットは前記可動レールに一体成形することを特徴とする請求項１記載のスライドレール自動収納装置。
【請求項９】
前記引張りユニットは分離した台として、前記可動レールに組み合わせることを特徴とする請求項１記載のスライドレール自動収納装置。
【考案の詳細な説明】
【技術分野】
【０００１】
本考案は、スライドレール自動収納装置に関し、特に、レールが固定された他のレールに沿って動き、自動的に収納される装置に関する。
【背景技術】
【０００２】
一般に、引き出しやその類似物をスライドレールによって平行に摺動させる場合、引き出したり元の位置に戻したりする動作の大部分は、使用者が力を加えて行っている。これに対し、スライドレールを自動的に元の位置に戻す製品が市場に流通しており、これらのスライドレールが引き出しを押し戻す際には、移動の最後の段階において、自動的にタンスや棚等の収納空間に収納する。
【０００３】
前述した自動収納式のスライドレールは、例えば、米国特許第７０４０７２５号、第７０７７４８７号、第７０８３２４３号、米国特許第７１０４６９１号、米国特許第７２４４００５号等において開示される。この分野においては、さらに良好な市場競争力と実用性を備えた製品が求められる。
【特許文献１】米国特許第７０４０７２５号明細書
【特許文献２】米国特許第７０７７４８７号明細書
【特許文献３】米国特許第７０８３２４３号明細書
【特許文献４】米国特許第７１０４６９１号明細書
【特許文献５】米国特許第７２４４００５号明細書
【考案の開示】
【考案が解決しようとする課題】
【０００４】
本考案の目的は、より良好な実用性を備えたスライドレール自動収納装置を提供することである。
また、本考案の目的は、スライドレールの自動収納機構が確実に作動し、容易に効果を失わず、使用寿命の長いスライドレール自動収納装置を提供することである。
【課題を解決するための手段】
【０００５】
本考案のスライドレール自動収納装置は、スライドレール、固定台、ガイド棒、スライド体、弾性部品、及び引張りユニットを含む。
スライドレールは、固定レールと可動レールとを含み、可動レールは固定レール内に嵌まって摺動する。
固定台は、固定レールに連結し、上面と側面と底面とを有する。さらに、この上面及び底面には、貫通するように向かい合わせて開口溝を設け、側面にはスライド溝を設ける。スライド溝の両端には、湾曲して延びるリターンエリア及びストップエリアをそれぞれ設ける。ガイド棒は、開口溝を貫くように設ける。スライド体は、ガイド棒が嵌合して連動させ、スライド溝に対応する一つの凸柱を備える。
【０００６】
弾性部品の両端のうち、第一端は固定端であり、第二端はスライド体に連結する。
引張りユニットは、可動レールの後端に設ける。この引っ張りユニットには、開放口、第一ガイド部、第一係止部、第二係止部、第二ガイド部を順に並べて設ける。前述したスライド体が引張りユニットに連動し、可動レールが固定レールに収納される最終段階で自動的に収納される。
【０００７】
本考案はさらに、固定台には固定足及び取り付け孔を設け、固定レールにはこの固定足及び取り付け孔にそれぞれ対応する固定片及び固定孔を設け、この取り付け孔と固定孔に対応する固定部品を含むものであってもよい。
本考案の固定レールには、固定台の幅に対応して間隔を空けた制御体を設けてもよい。
本考案の固定台には、固定台フックを設け、弾性部品の第一端に連結してもよい。
本考案の固定レールには、固定レールフックを設け、弾性部品の第一端に連結してもよい。
【０００８】
本考案のスライド体には、弾性部品の第二端に対応する連結柱を設けてもよい。
本考案の引張りユニットは、第一ガイド部が傾斜辺であり、第二ガイド部は弧形辺であってもよい。
本考案の引張りユニットは、可動レールに一体成形してもよい。
本考案の引張りユニットは、一つの分離された台として、可動レールに組み合わせてもよい。
【０００９】
（考案の効果）
本考案の作用効果は、以下のとおりである。
上記構成のガイド棒による水平方向のスライド移動は安定し、また上方向及び水平方向に移動するスライド体はスライド溝に対応し、引張りユニットを確実に係止する。
スライド体は、ガイド棒に嵌合し、弾性部品の作用を受け、さらにガイド棒との摩擦力により、位置を止めた状態の安定性を高めることができる。
引張りユニットのスライド体への連動、及びスライド体のスライド溝のストップエリアによる係止は、どちらも容易に効果を失うことはない。
【考案を実施するための最良の形態】
【００１０】
以下、本考案による複数の実施例を図面に基づいて説明する。
（第１実施例）
図１及び図２に示すとおり、本考案の第１実施例は、固定レール１、可動レール２、固定台３、ガイド棒４、スライド体５、弾性部品６、及び引張りユニット７を含む。
【００１１】
固定レール１の内側には、一つの軸受け部品８を設ける。また、固定レール１には、制御体１１と固定片１２と固定孔１３とを設け、制御体１１は固定台３の幅に対応して間隔を空けて設置する。
可動レール２は、軸受け部品８に嵌めて設け、固定レール１に対して摺動する。
【００１２】
固定台３は、固定レール１に連結し、固定台３においては上面３１と側面３２と底面３３とが隣接する。底面３３及び向かい合う上面３１には、貫通するよう開口溝３４を設ける。側面３２には、スライド溝３５を設ける。スライド溝３５の両端には、湾曲して上面３１方向に延びるリターンエリア３５１及びストップエリア３５２をそれぞれ設ける。また固定台３には、前述の固定レール１の固定片１２と固定孔１３に対応して固定足３６及び取り付け孔３７を設ける。固定レール１は制御体１１によって固定台３の位置を制限し、固定片１２によって固定足３６を押さえて止める。固定部品３８は、対応する取り付け孔３７を貫いて固定孔１３に端を潰して固定される。さらに、固定台３には第一フック３９を設ける。
【００１３】
ガイド棒４は、棒体４１の上端に頭部４２を備えたものである。棒体４１を固定台３の開口溝３４に貫いて設け、頭部４２と棒体４１の下端とによって上面３１と底面３３とを互いに押さえて止め、棒体４１は開口溝３４内をスライド移動する。本実施例では、棒体４１の下端は、固定台３に取り付けた後に端を潰して平たくして、拡大端４３とする。
スライド体５は、貫通孔５１に嵌合したガイド棒４の棒体４１と連動して摺動する。スライド体５には、固定台３のスライド溝３５に対応するよう延びる一つの凸柱５２と、一つの連結柱５３とを設ける。
【００１４】
弾性部品６は、対になる第一端６１と第二端６２とを備え、第一端６１は固定台３の第一フック３９に連結し、第二端６２はスライド体５の連結柱５３に連結する。
引張りユニット７は、可動レール２の後端に一体成形される。引張りユニット７は、開放口７１と、第一ガイド部７２と、第一係止部７３と、第二係止部７４と、第二ガイド部７５と順に連ねて備えるものであり、第一ガイド部７２は傾斜辺、第二ガイド部７５は弧形辺である。
【００１５】
使用時の正常な動作は、図３から図５に示すとおりである。
図３は、可動レール２が固定レール１に収納された状態である。スライド体５とガイド棒４は弾性部品６に引っ張られて固定台３のスライド溝３５の後ろに位置する。さらに、可動レール２は、引張りユニット７の第二係止部７４がスライド体５の凸柱５２を引掛けることによって、固定レール１に収納された後すぐに自動定位する。
図４に示すとおり、可動レール２は、固定レール１から一定距離引っ張り出した時、引張りユニット７の第二係止部７４によってスライド体５とガイド棒４を共に引き出し、弾性部品６を引き伸ばす。
【００１６】
図５は、可動レール２が固定レール１からさらに引っ張り出され、スライド体５がスライド溝３５のストップエリア３５２に到達した図である。ガイド棒４をスライド移動させるスライド体５は、その凸柱５２がスライド溝３５に沿って移動しストップエリア３５２に入り込み停止する。同時に、引張りユニット７の第二係止部７４がスライド体５の凸柱５２を離脱した後、可動レール２をさらに限界まで引っ張り出すことができる。
【００１７】
操作に異常が発生した場合、すなわち、外力によりスライド体５がスライド溝３５のリターンエリア３５１箇所に戻る誤作動が起こった時には、図６に示すとおり、さらに可動レール２を押し戻すと、引張りユニット７の第一ガイド部７２がスライド体５の凸柱５２を押し、リターンエリア３５１に移動する。さらに、図７に示すとおり、すぐに凸柱５２を引張りユニット７の第一係止部７３に嵌め入れ、可動レール２をさらに引っ張り出すと、改めてスライド体５をスライド溝３５のストップエリア３５２まで移動させる。
【００１８】
再度可動レール２を収納する場合は図８に示すとおり、引張りユニット７がスライド体５に到達した時、引張りユニット７が第二ガイド部７５により凸柱５２をスライド溝３５のストップエリア３５２から離脱させる。凸柱５２は同時に、引張りユニット７の第二係止部７４に移動する。その後、図９に示すように、スライド体５は弾性部品６の引っ張り力によって可動レール２を引き戻して固定レール１に収納する。
【００１９】
（第２実施例）
また、本考案の第２実施例は、固定レールと弾性部品の連結に関し、図１０に示すとおりである。第２実施例は、基本的な構成及び作用効果において、第１実施例と実質的に同じである。第１実施例との違いは、弾性部品６ａを固定する際、固定レール１ａに第二フック１４ａを設けて弾性部品６ａの第一端６１ａと連結させたことである。
【００２０】
（第３実施例）
また、本考案の第３実施例は、引張りユニットに関し、図１１に示すとおりである。第３実施例は、基本的な構成及び作用効果において、第１実施例と実質的に同じである。第１実施例との違いは、引張りユニット７ｂを一つの分離した台とし、可動レール２ｂに組み合わせたことである。引張りユニット７ｂと可動レール２ｂは、異なる材質を用いて製造する。
【図面の簡単な説明】
【００２１】
【図１】本考案の第１実施例の分解した状態の斜視図である。
【図２】本考案の第１実施例の組み立てた状態の斜視図である。
【図３】本考案の第１実施例で可動レールが収納された状態を示す平面図である。
【図４】本考案の第１実施例で可動レールを引き出す場合の平面図である。
【図５】本考案の第１実施例で可動レールを引き出す場合の平面図である。
【図６】本考案の第１実施例に異常が起こった場合を示す平面図である。
【図７】本考案の第１実施例の異常を解消する操作を示す平面図である。
【図８】本考案の第１実施例で可動レールを収納する場合の平面図である。
【図９】本考案の第１実施例で可動レールを収納する場合の平面図である。
【図１０】本考案の第２実施例の固定レールと弾性部品の連結を示す斜視図である。
【図１１】本考案の第３実施例の引張りユニットを示す斜視図である。
【符号の説明】
【００２２】
１：固定レール、１１：制御体、１２：固定片、１３：固定孔、２：可動レール、３：固定台、３１：上面、３２：側面、３３：底面、３４：開口溝、３５：スライド溝、３５１：リターンエリア、３５２：ストップエリア、３６：固定足、３７：取り付け孔、３８：固定部品、３９：第一フック、４：ガイド棒、４１：棒体、４２：頭部、４３：拡大端、５：スライド体、５１：貫通孔、５２：凸柱、５３：連結柱、６：弾性部品、６１：第一端、６２：第二端、７：引張りユニット、７１：開放口、７２：第一ガイド部、７３：第一係止部、７４：第二係止部、７５：第二ガイド部、８：軸受け部品、１ａ：固定レール、１４ａ：第二フック、６ａ：弾性部品、６１ａ：第一端、２ｂ：可動レール、７ｂ：引張りユニット
【図１】
0003140208.tif 000003
【図２】
0003140208.tif 000004
【図３】
0003140208.tif 000005
【図４】
0003140208.tif 000006
【図５】
0003140208.tif 000007
【図６】
0003140208.tif 000008
【図７】
0003140208.tif 000009
【図８】
0003140208.tif 000010
【図９】
0003140208.tif 000011
【図１０】
0003140208.tif 000012
【図１１】
0003140208.tif 000013